(57)【要約】      （修正有）【課題】間口の広い浮動部材で波動エネルギーを多量に吸収し、この浮動部材の上昇及び降下の両行程のエネルギーを取出す。【解決手段】波動により揺動される浮動部材の作動により発電する装置において、波動により押寄せられた長方形の箱形の浮動部材が水平移動した後、次第に押上げられるとき、これに接続したラック棒１６を押上げることによりこのラック棒の上半部の右側ラック歯１８に噛み合う右側第一歯車２３を右回転させ、又、反対に波が退き浮動部材１と共にラック棒１６が降下したとき、このラック棒の左側ラック歯１９に噛み合う左側第一歯車２８を右回転させて発電装置の駆動部２２を介して直流発電機の電機子をラック棒１６の上昇及び降下にかかわらず常に同一方向に回転させて発電しうるようにした波動発電装置の構造である。【選択図】図４
2010112365.tif 000002
【特許請求の範囲】
【請求項１】
横波により浮動部材１を溝形ガイドレール７上をほぼ水平に移動した後、緩やかに上昇させるようにし、この浮動部材１の作動をバネ板１４を介してラック棒１６に伝え、ラック棒より発電装置の駆動部２２を経て発電機３４を働かせる装置に於いて浮動部材１を長方形の箱形に作り、この波受する前面部２と背面部３とに各々輪軸一体型の両輪車輪９をそれぞれ左右一対の軸受１２で支持し、この両輪車輪９を左右の溝形ガイドレール７上で転動させるとき、両輪車輪９の両輪１０の側面に取付けた歯車１１を同時に左右の溝形ガイドレール７のラック歯８に噛み合わせることにより浮動部材１は平行移動し、波受する前面部２を拡幅しても常に安定して走行できるようになり、又、浮動部材１が溝形ガイドレール７のカーブ部の上を移動するとき、浮動部材１とラック棒１６の間に可撓性のあるバネ板１４を介在させることにより浮動部材１の作動を無理なくラック棒１６に伝達し、次にラック棒１６を押上げることにより、このラック棒の上半部の右側ラック歯１８に噛み合う右側第一歯車２３を右回転させ、この歯車の内周のラチェット歯２４に噛み合うラチェット爪２６により、右側ラチェット爪車２５を右回転させ、これと一体になっている右側第二歯車３１によりピニオン３２を数倍増速して左回転させ、軸接手３３を介して直流発電機の電機子３５を左回転して発電させることができ、又、反対に波が退き、浮動部材１と共にラック棒１６が降下したとき、このラック棒の左側ラック歯１９に噛み合う左側第一歯車２８を右回転させ、この歯車の内周のラチェット歯２９に噛み合うラチェット爪２６により左側ラチェット爪車３０を右回転させ、これと一体となっている左側第二歯車３１によりピニオン３２を増速して左回転させて直流発電機の電機子３５を左回転して発電できて、ラック棒１６の昇降いづれの移動の場合も常に電機子３５を同一方向の左回転させて発電させること可能にした波動発電装置の構造。
【発明の詳細な説明】
【技術分野】
【０００１】  本発明は波の力及びその浮力を利用して発電する装置に関するものである。
【発明の開示】
【発明が解決しようとする課題】
【０００２】  従来より波の力及びその浮力エネルギーを取り出すときは浮動部材が突き上げられてくる作動のみに限定されており従って浮動部材が降下する作動は利用不可能であった。本発明は、浮動部材を横波に押されて横移動させ、次に浮力も加わって上昇させることにより充分波動エネルギーを吸収し、この浮動部材の移動量をラック棒に伝え、これより発電装置の駆動部を介して直流発電機を回転する。このとき本発明の駆動装置の駆動部により浮動部材の上昇及び下降の両行程においても発電機の回転方向を同一にして上昇及び下降の両行程のエネルギーを吸収し、この効果を倍増しようとするものである。
【課題を解決するための手段】
【０００３】  図１及び図２に示すように、横波により浮動部材１を溝形ガイドレール７上をほぼ水平に移動した後、緩やかに上昇させるようにし、この浮動部材１の作動をバネ板１４を介してラック棒１６に伝え、ラック棒より発電装置の駆動部２２を経て発電機３４を働かせる装置に於いて浮動部材１を長方形の箱形に作り、この波受する前面部２と背面部３とに各々輪軸一体型の両輪車輪９をそれぞれ左右一対の軸受１２で支持し、この両輪車輪９を左右の溝形ガイドレール７上で転動させるとき、両輪車輪９の両輪１０の側面に取付けた歯車１１を同時に左右の溝形ガイドレール７のラック歯８に噛み合わせることにより浮動部材１は平行移動し、波受する前面部２を拡幅しても常に安定して走行できるようになる。【０００４】  又、浮動部材１が溝形ガイドレール７のカーブ部の上を移動するとき、浮動部材１とラック棒１６の間に可撓性のあるバネ板１４を介在させることにより浮動部材１の作動を無理なくラック棒１６に伝達することが出来る。【０００５】  次に、ラック棒１６の上半部の右側ラック歯１８に噛み合う右側第一歯車２３を右回転させ、この歯車の内周のラチェット歯２４に噛み合うラチェット爪２６により、右側ラチェット爪車２５を右回転させ、これと一体になっている右側第二歯車３１によりピニオン３２を数倍増速して左回転させ、軸接手３３を介して直流発電機の電機子３５を左回転して発電させることができ、又、反対に波が退き、浮動部材１と共にラック棒１６が降下したとき、このラック棒の左側ラック歯１９に噛み合う左側第一歯車２８を右回転させ、この歯車の内周のラチェット歯２９に噛み合うラチェット爪２６により左側ラチェット爪車３０を右回転させ、これと一体となっている左側第二歯車３１によりピニオン３２を増速して左回転させて直流発電機の電機子３５を左回転して発電できて、ラック棒１６の昇降いづれの移動の場合も常に電機子３５を同一方向の左回転させて発電させることが可能になる。
【発明の効果】
【０００６】  本発明は波の横波を間口の広い浮動部材１で受けることができ、又、横波が押し寄せられ岸壁に近づくにつれ、浮力も加わって浮き上がる長い行程のエネルギーを充分受けることが可能であり、又、浮動部材１の水平移動、上降及び下降の両行程のエネルギーを取り出すことが可能となり、エネルギーの吸収効果は約倍増することができる。
【発明の実施をするための最良の形態】
【０００７】  図１及び図２は本発明実施の一例を示すものであって、本発明はなるべく広範囲の波を受入れするために浮動部材１の前面部２を大きく拡げ、これを打寄せる波により２本の溝形ガイドレール７上を陸に向かいほぼ水平に押し上げられ、次に溝形ガイドレール７のカーブに沿うて上方に押し上げられる、この作動をバネ板１４を介してラック棒１６に伝えラック棒１６より発電装置の駆動部２２を経て発電機３４を回転させる。浮動部材１はなるべく広く波を受けるための幅広い長方形の箱形とする。そしてこの波受する前面部２と背面部３とに各々輪軸一体型のトロッコ車輪のような両輪車輪９をそれぞれ、左右一対の軸受１２で支持し、この両輪車輪９を右側及び左側の溝形ガイドレール７上を転動させる、このとき両輪車輪９は波による浮き上がりの防止のため溝形ガイドレール７で両輪１０の上下を挿む構造とする、そして、このとき両輪車輪９の両輪側面に取付けた歯車１１を同時に左右の溝形ガイドレール７のラック歯８に噛み合わせることにより、浮動部材１の左右両側は溝形ガイドレール７につかまれた状態で移動し、従って常に岸壁と平行な状態で移動する、従って波受けする前面部２を拡幅しても左右の波の圧力差が生じてもこれに耐えることが可能である。
【０００８】  溝形ガイドレール７は海側よりほぼ水平に陸に近づき、カーブを経て上の方に上がり傾斜させて、浮動部材１が波に押されて上方まで押し上げられて後、波が退くと重力で勢いよく海の方へ戻るようにしている。従って浮動部材１の上昇の場合は勿論、戻る場合もこの降下のエネルギーを取らえて発電させることができる。
【０００９】  又、浮動部材１がカーブする溝形ガイドレール７に沿うて上昇していくとき、そのカーブに沿うて彎曲しているバネ板１４が直線に戻っていくことによりラック棒１６は無理なく浮動部材１により押されて上昇することができる。
【００１０】  そしてラック棒１６を押し上げることにより、このラック棒の上半部の右側ラック歯１８に噛み合う右側第一歯車２３を右回転させ、この歯車の内周の右側ラチェット歯２４に噛み合うラチェット爪２６により右側ラチェット爪車２５を右回転させ、これと一体になっている、右側第二歯車３１によりピニオン３２を左回転させる。右側第二歯車２７の直径は右側第一歯車２３より大きく、そしてこれに小径のピニオン３２が噛み合わされているため、ピニオン３２の左回転は、最初の右側第一歯車２３の回転より数倍大きく増速されている。このピニオン３２により軸接手３８を介して直流発電機の電機子３５を左回転して発電させる。猶、ラック棒１６が上昇するときは、ラック棒の左側ラック歯１９により左側第一歯車２８は左回転させられるが、この内周のラチェット歯２９にはラチェット爪２６は噛み合わないため左側ラチェット爪車３０は空転し、右側の歯車列による作動を阻害しないようにしている。
【００１１】  波が退き浮動部材１と共にラック棒１６を押下げることにより、このラック棒の左側ラック歯１９に噛み合う左側一歯車２８を右回転させ、この歯車の内周ラチェット歯２９に噛み合うラチェット爪２６により左側ラチェット爪車３０を右回転させ、これと一体となっている左側第二歯車３１によりピニオン３２を増速して左回転させて、電機子３５を左回転させて発電する。このとき電機子３５はラック棒１６の昇降にかかわらず常に左回転することにより、電機子３５の逆転を避けることができる。猶、ラック棒１６が下降するときは、右側ラチェット爪車２５は空転し、左側の歯車列による作動を阻害しないようになっている。
【００１２】  猶、浮動部材１には波受する面積を拡げるため波受前面部２に波受板４を支持軸５により取付けている、然し波の力が激しいときは、その力によりシャーピン６が切断されて波受板４は後方に倒れ、波の力を軽減できるようにしている。
【００１３】  又、浮動部材１が最高位置に達したとき、蔓巻バネ３６にぶつかり下方へ押し戻されるようにすることもできる、これは上昇するエネルギーの一部を下降のエネルギーに転換するものである。
【図面の簡単な説明】
【００１４】
【図１】  本発明の実施形態の実施例を示す縦断面図
【図２】  図１の側面図
【図３】  図１のＡ−Ａ断面図
【図４】  図１の発電機駆動部の拡大縦断面図
【図５】  図４のＢ−Ｂ断面図
【符号の説明】
【００１５】１−−−浮動部材                        ２−−−浮動部材の波受前面部
３−−−浮動部材の背面部                ４−−−浮動部材の波受板
５−−−波受板の支持軸                  ６−−−波受板のシャーピン
７−−−溝形ガイドレール                ８−−−溝形ガイドレールのラック歯
９−−−両輪車輪                        １０−−−両輪車輪の両輪
１１−−−両輪車輪の歯車                １２−−−両輪車輪用軸受
１３−−−両輪車輪の車軸                １４−−−バネ板
１５−−−浮動部材のバネ板取付部        １６−−−ラック棒
１７−−−ラック棒のバネ板取付部        １８−−−ラック棒上半部の右側ラック歯
１９−−−ラック棒上半部の左側ラック歯  ２０−−−ラック棒支持台
２１−−−ラック棒ガイドローラー        ２２−−−発電装置の駆動部
２３−−−右側第一歯車                  ２４−−−右側第一歯車のラチェット歯
２５−−−右側ラチェット爪車            ２６−−−ラチェット爪
２７−−−右側第二歯車                  ２８−−−左側第一歯車
２９−−−左側第一歯車のラチェット歯    ３０−−−左側ラチェット爪車
３１−−−左側第二歯車                  ３２−−−ピニオン
３３−−−軸接手                        ３４−−−直流発電機
３５−−−電機子                        ３６−−−蔓巻バネ
【図１】
2010112365.tif 000003
【図２】
2010112365.tif 000004
【図３】
2010112365.tif 000005
【図４】
2010112365.tif 000006
【図５】
2010112365.tif 000007